(57)【要約】  本発明は、電解液に前処理を施すことなく迅速かつ非破壊で分析するものであり、電荷のキャリアとなるイオン性物質を有機溶媒に添加してなる電解液Ｓに測定光Ｌ１を照射して、電解液Ｓから生じる二次光Ｌ２を検出する二次光検出工程と、二次光検出工程により検出された二次光Ｌ２から、電解液Ｓの成分単体に測定光Ｌ１を照射した場合には現れない発光情報を特定する発光情報特定工程と、発光情報特定工程により特定された発光情報を用いて、電解液Ｓを分析する電解液分析工程とを備える。
2020105687.tif 000002
【特許請求の範囲】
【請求項１】
電荷のキャリアとなるイオン性物質を溶媒に添加してなる電解液に測定光を照射して、前記電解液から生じる二次光を検出する二次光検出工程と、
前記二次光検出工程により検出された二次光から、前記電解液の成分単体に前記測定光を照射した場合には現れない発光情報を特定する発光情報特定工程と、
前記発光情報特定工程により特定された発光情報を用いて、前記電解液を分析する電解液分析工程とを備える、電解液分析方法。
【請求項２】
前記電解液分析工程は、前記発光情報特定工程により特定された発光情報と、基準となる発光情報とを比較することにより、前記電解液を分析するものである、請求項１記載の電解液分析方法。
【請求項３】
前記電解液分析工程は、前記発光情報特定工程により特定された発光情報から求まる発光強度変化と、基準となる発光強度変化とを比較することにより、前記電解液を分析するものである、請求項１又は２記載の電解液分析方法。
【請求項４】
前記電解液分析工程は、前記電解液の水分含有量、前記電解液の使用温度、又は、前記電解液の劣化度合いを診断するものである、請求項１乃至３の何れか一項に記載の電解液分析方法。
【請求項５】
前記発光情報特定工程は、複数回の前記二次光検出工程により検出された複数の励起−発光マトリックス（ＥＥＭ）データを用いて多変量解析により前記二次光に含まれる複数の発光成分を特定するものであり、
前記電解液分析工程は、特定された複数の発光成分を用いて、前記電解液を分析するものである、請求項１乃至４の何れか一項に記載の電解液分析方法。
【請求項６】
電荷のキャリアとなるイオン性物質を溶媒に添加してなる電解液に測定光を照射する照射部と、
前記電解液から生じる二次光を検出する検出部と、
前記検出部により検出された二次光から、前記電解液の成分単体に前記測定光を照射した場合には現れない発光情報を特定する特定部と、
前記特定部により特定された発光情報を用いて、前記電解液を分析する分析部とを備える、電解液分析装置。
【発明の詳細な説明】
【技術分野】
【０００１】
本発明は、電解液分析方法及び電解液分析装置に関するものである。
【背景技術】
【０００２】
従来、リチウムイオン二次電池の電解液を分析する方法としては、特許文献１に示すように、液体クロマトグラフィー質量分析計（ＬＣ−ＭＳ）やガスクロマトグラフィー質量分析計（ＧＣ−ＭＳ）などを用いたものが考えられている。【０００３】
しかしながら、上記の方法では、液体クロマトグラフィーやガスクロマトグラフィーなどにより電解液を各成分単体に分離して分析することになり、ありのままの電解液の状態を測定することは困難である。
【先行技術文献】
【特許文献】
【０００４】
【特許文献１】特表２０１８−５１５７７０号公報
【発明の概要】
【発明が解決しようとする課題】
【０００５】
ところで、本願発明者は、電荷のキャリアとなるイオン性物質を溶媒に添加してなる電解液を各成分単体に分離することなく非破壊で測定することを検討しており、電解液に励起光を照射した際に電解液から生じる発光を検出することにより、電解液を分析することを考えている。【０００６】
この発光分析において、本願発明者がリチウムイオン二次電池用電解液を構成する各単成分に励起光を照射したところ、図９に示すように、各成分単体からの顕著な発光が検出されないことが分かった。なお、図９に示すデータは、励起−発光マトリックス（ＥＥＭ）データであり、すなわち各波長の励起光を照射した際に得られる各発光波長における光強度を測定したものである。「ＬｉＰＦ６粉末」のＥＥＭデータに見られる対角線方向へ伸びる強い光強度は、レイリー散乱による光を検出したものである。また、図９の「ＥＣ１００％」のＥＥＭデータなどに見られる対角方向へ伸びる光強度は、Ｃ−Ｈ結合に由来するラマン散乱に相当する。【０００７】
一方で、電解液を各成分単体に分離することなくそのままの状態で励起光を照射したところ、図２に示すように、電解液からの発光が検出されることが分かった。【０００８】
そこで本発明は、上記の現象を利用して、電解液に前処理を施すことなく迅速かつ非破壊で分析することをその主たる課題とするものである。
【課題を解決するための手段】
【０００９】
すなわち本発明に係る電解液分析方法は、電荷のキャリアとなるイオン性物質を有機溶媒に添加してなる電解液に測定光を照射して、前記電解液から生じる二次光を検出する二次光検出工程と、前記二次光検出工程により検出された二次光から、前記電解液の成分単体に前記測定光を照射した場合には現れない発光情報を特定する発光情報特定工程と、前記発光情報特定工程により特定された発光情報を用いて、前記電解液を分析する電解液分析工程とを備えることを特徴とする。【００１０】
このようなものであれば、電解液の成分単体に測定光を照射した場合には現れない発光情報を特定し、その特定された発光情報を用いることにより、電解液をそのままの状態で分析することができる。その結果、電解液に前処理を施すことなく、迅速かつ非破壊で分析することができる。【００１１】
電解液の分析を容易に行うためには、前記電解液分析工程は、前記発光情報特定工程により特定された発光情報と、基準となる発光情報とを比較することにより、前記電解液を分析するものであることが望ましい。【００１２】
電解液の変化の要因を特定できるようにするためには、前記電解液分析工程は、前記発光情報特定工程により特定された発光情報から求まる発光強度変化と、基準となる発光強度変化とを比較することにより、前記電解液を分析するものであることが望ましい。【００１３】
具体的に前記電解液分析工程は、前記電解液の水分含有量、前記電解液が受けた温度負荷量、又は、前記電解液の劣化度合いを診断するものであることが考えられる。【００１４】
二次光には種々の情報が含まれていることから、それら情報の中から特徴的な情報を抽出して分析に用いることが望ましい。このため、前記発光情報特定工程は、複数回の前記二次光検出工程により検出された複数の励起−発光マトリックス（ＥＥＭ）データを用いて多変量解析により前記二次光に含まれる複数の発光成分をそれぞれ特定するものであり、前記電解液分析工程は、特定された複数の発光成分を用いて、前記電解液を分析するものであることが望ましい。【００１５】
また、本発明に係る電解液分析装置は、電荷のキャリアとなるイオン性物質を有機溶媒に添加してなる電解液に測定光を照射する照射部と、前記電解液から生じる二次光を検出する検出部と、前記検出部により検出された二次光から、前記電解液の成分単体に前記測定光を照射した場合には現れない発光情報を特定する特定部と、前記特定部により特定された発光情報を用いて、前記電解液を分析する分析部とを備えることを特徴とする。
【発明の効果】
【００１６】
以上に述べた本発明によれば、電解液に前処理を施すことなく迅速かつ非破壊で分析することができる。
【図面の簡単な説明】
【００１７】
【図１】本発明の一実施形態に係る電解液分析装置の構成を模式的に示す図である。
【図２】同実施形態の励起−発光マトリックス（ＥＥＭ）データの一例を示す図である。
【図３】室温及び７０℃温調下におけるＥＥＭデータの経時変化を示す図である。
【図４】同実施形態の分析方法を示すフローチャートである。
【図５】同実施形態の補正処理を示す図である。
【図６】ＥＥＭデータに含まれる発光成分及び各スペクトルを、ＰＡＲＡＦＡＣ解析により抽出した結果を示す図である。
【図７】ＰＡＲＡＦＡＣ解析により抽出した励起・発光スペクトルについて、各ＥＥＭデータにおける重みである負荷量（ＰＡＲＡＦＡＣスコア）を示す図である。
【図８】室温及び７０℃におけるＰＡＲＡＦＡＣスコアの経時変化を示す図である。
【図９】電解液に含まれる各成分単体を測定した場合のＥＥＭデータを示す図である。
【符号の説明】
【００１８】
１００・・・電解液分析装置
２    ・・・照射部
Ｌ１  ・・・測定光（励起光）
Ｌ２  ・・・二次光（試料由来の発光）
３    ・・・検出部
４    ・・・特定部
５    ・・・分析部
６    ・・・格納部
【発明を実施するための形態】
【００１９】
以下、本発明の一実施形態に係る電解液分析装置及び電解液分析方法について、図面を参照しながら説明する。
【００２０】
＜装置構成＞
本実施形態の電解液分析装置１００は、例えばリチウムイオン二次電池に用いられる電解液を、前処理を施すことなく非破壊で分析するものである。
【００２１】
測定対象である電解液は、極物質を構成する元素と同元素を持ち電池内部で電荷のキャリアとなる、イオン性物質を溶媒に添加して作製されたものである。本実施形態では、リチウムイオン二次電池用電解質としてヘキサフルオロリン酸リチウム（ＬｉＰＦ６）を含み、高誘電率溶媒としてエチレンカーボネート（ＥＣ）を含み、低粘度溶媒としてジメチルカーボネート（ＤＭＣ）及びエチルメチルカーボネート（ＥＭＣ）を含むものを用いた。
【００２２】
なお、電解質としては、電荷のキャリアとなるイオン性物質を溶媒に添加して作製されたものであれば良い。本実施形態では、ヘキサフルオロリン酸リチウム（ＬｉＰＦ６）の他、過塩素酸リチウム（ＬｉＣｌＯ４）、ホウフッ化リチウム（ＬｉＢＦ４）、リチウムビス（トリフルオロメタンスルホニル）イミド（ＬｉＴＦＳＩ）を含むものであっても良い。電解液に含まれる電解質は、前述したものの何れか１つであってもよいし、それらを組み合わせたものであってもよいし、前述したもの以外の電解質を含むものであってもよい。
【００２３】
また、溶媒としては、構造中に非共有電子対を１つ以上有する溶媒、好ましくは、構造中にカルボニル基、エーテル結合、酸素を有する環状構造のいずれか１つ以上の特徴を有する有機溶媒であれば良い。例えば、エチレンカーボネート（ＥＣ）、ジメチルカーボネート（ＤＭＣ）、エチルメチルカーボネート（ＥＭＣ）、プロピレンカーボネート（ＰＣ）、ブチレンカーボネート（ＢＣ）、ジエチルカーボネート（ＤＥＣ）、γ−ブチロラクトン（ＧＢＬ）、メチル−γ−ブチロラクトン（ＧＶＬ）であっても良い。電解液に含まれる溶媒は、前述したものの何れか１つであってもよいし、それらを組み合わせたものであってもよいし、前述したもの以外の溶媒を含むものであってもよい。
【００２４】
具体的に電解液分析装置１００は、図１に示すように、リチウムイオン二次電池の電解液Ｓに測定光Ｌ１を照射する照射部２と、電解液Ｓから生じる二次光Ｌ２を検出する検出部３と、検出部３により検出された二次光Ｌ２から、電解液Ｓの成分単体に測定光Ｌ１を照射した場合には現れない発光情報を特定する特定部４と、特定部４により特定された発光情報を用いて、電解液Ｓを分析する分析部５とを備えている。
【００２５】
なお、本実施形態では、照射部２と検出部３との間に電解液Ｓを収容した容器１０が着脱可能に取り付ける容器ホルダ（不図示）が設けられた構成であるが、電解液Ｓを収容する測定セルを設けた構成としても良い。
【００２６】
照射部２は、測定光Ｌ１である励起光を電解液Ｓに照射するものであり、例えばキセノンランプ等の励起光源２１と、当該励起光源２１からの光を分光して励起光を射出する分光器２２とを有している。本実施形態の照射部２は、例えば２２０〜６００ｎｍの励起波長を有する測定光Ｌ１を照射するものである。
【００２７】
検出部３は、測定光Ｌ１が照射された電解液Ｓから生じる電解液Ｓ由来の発光（二次光Ｌ２）を検出するものであり、二次光Ｌ２を分光する分光器３１と、当該分光器３１により分光された二次光Ｌ２を検出する検出器３２とを有している。本実施形態では、例えば、２１１〜６１７ｎｍの波長帯域を有する光を検出するものである。検出器３２は、例えばＣＣＤ検出器である。検出器３２の各測定における露光時間は例えば１．０秒である。
【００２８】
その他、本実施形態の電解液分析装置１００では、電解液Ｓの吸光度を算出するために電解液Ｓを透過した透過光Ｌ３を検出する透過光検出器６を備えている。
【００２９】
次に説明する特定部４及び分析部５は、ＣＰＵ、メモリ、入出力インターフェイス、ＡＤ変換器等を有するコンピュータにより構成されており、メモリに格納された分析プログラムに基づいて、ＣＰＵ及び周辺機器が協働することによってその機能が発揮される。
【００３０】
特定部４は、検出器３２により検出された二次光Ｌ２の光強度信号を取得して、電解液Ｓの成分単体に測定光Ｌ１を照射した場合には現れない発光情報を特定するものである。この特定部４は、電解液Ｓの成分単体（ＬｉＰＦ６、ＥＣ、ＤＭＣ、ＥＭＣ）に測定光Ｌ１を照射した場合には現れない発光ピークを有する発光成分を特定する。
【００３１】
具体的に特定部４は、図２に示す複数個の励起−発光マトリックス（ＥＥＭ）データ（縦軸を励起波長、横軸を発光波長として、各波長の光強度を表した３次元データ）を生成し、この複数個の３次元データ（ＥＥＭデータ）を用いて多変量解析により二次光Ｌ２の光強度信号に含まれる複数の発光成分を特定する。ここで、複数個のＥＥＭデータは、温度や水分混入量等状態の異なる電解液Ｓから得られたものである（図３参照）。
【００３２】
以下に、特定部４の演算方法の一例について図４を参照して説明する。
【００３３】
照射部２から測定光Ｌ１を照射し（ステップＳ１）、検出部３により二次光Ｌ２を検出する（ステップＳ２）。そして、特定部４は、複数個の光強度信号から、図２に示す複数個のＥＥＭデータを生成する（ステップＳ３）。
【００３４】
なお、図２は、内部フィルタ効果（Ｉｎｎｅｒ  ｆｉｌｔｅｒ  ｅｆｆｅｃｔ）及びレイリー散乱を補正し、水ラマン光散乱強度を用いてノーマライズされた補正後のＥＥＭデータである。これらの補正処理は、特定部４により行われる（図５参照）。
【００３５】
また、特定部４は、多変量解析の１つであるＰＡＲＡＦＡＣ（Ｐａｒａｌｌｅｌ  ｆａｃｔｏｒ  ａｎａｌｙｓｉｓ）を用いて、複数個のＥＥＭデータから、ＥＥＭに見られる複数の発光成分に関する定性的な情報、すなわち励起スペクトル及び発光スペクトルを抽出するとともに（ステップＳ４、図６参照）、それら発光成分が各ＥＥＭにおける寄与量（ＰＡＲＡＦＡＣスコア）を定量的な発光情報として算出する（ステップＳ５、図７参照）。なお、このＰＡＲＡＦＡＣスコアは、解析に用いた各ＥＥＭにおいて抽出された各発光成分がそれぞれどの程度の強度で含まれているかを示す値である。このように本実施形態の特定部４による発光情報の特定には、二次光の光強度信号から発光情報を抽出すること、及び、二次光の光強度信号から発光情報を算出することを含むものであったが、何れか一方であっても良いし、その他の方法により発光情報を特定するものであっても良い。
【００３６】
そして、分析部５は、特定部４により特定された複数の発光成分を用いて、電解液Ｓを分析するものである。具体的に分析部５は、特定部４により特定された複数の発光スペクトルのＰＡＲＡＦＡＣスコアを用いて、電解液Ｓの状態を分析・診断する（ステップＳ６）。例えば、分析部５は、複数の発光スペクトルのＰＡＲＡＦＡＣスコアと、基準となる発光情報（所定の状態を示すＰＡＲＡＦＡＣスコア）とを比較して、電解液Ｓの水分含有量、電解液Ｓの使用温度、又は、電解液Ｓの劣化度合いを診断する。
【００３７】
以下に、室温（２５℃）に温調した電解液ＳのＰＡＲＡＦＡＣスコアの時間変化と、７０℃に温調した電解液ＳのＰＡＲＡＦＡＣスコアの時間変化とを図８に示す。
【００３８】
室温に温調した場合の各発光成分のＰＡＲＡＦＡＣスコアはほとんど一定であり、それらの大小関係は変わらないことが分かる。一方で、７０℃に温調した場合の各発光成分のＰＡＲＡＦＡＣスコアは大きな変化を示し、それらの大小関係も変化している。
【００３９】
この結果から、各温度において電解液ＳのＰＡＲＡＦＡＣスコアの値及び大小関係が決定されることから、これらの値を予め取得して格納部７に記憶し、基準となる発光情報とする。そして、測定試料である電解液Ｓを測定して得られたＰＡＲＡＦＡＣスコアと比較することにより、リチウムイオン二次電池の使用時における電解液Ｓの温度を診断することができる。
【００４０】
同様にして、電解液Ｓの水分含有量別に基準となる発光情報（例えば、電解液ＳのＰＡＲＡＦＡＣスコア）を取得しておけば、測定試料である電解液Ｓを測定して得られた発光情報（複数の発光スペクトルのＰＡＲＡＦＡＣスコア）と比較することにより、電解液Ｓの水分含有量を評価することができる。また、リチウムイオン二次電池の使用時間（充放電サイクル）別に基準となる発光情報（例えば、電解液のＰＡＲＡＦＡＣスコア）を取得しておけば、測定試料である電解液Ｓを測定して得られる発光情報（複数の発光スペクトルのＰＡＲＡＦＡＣスコア）と比較することにより、電解液Ｓの劣化度合いを評価することができる。
【００４１】
＜本実施形態の効果＞
本実施形態の電解液分析装置１００によれば、電解液Ｓの成分単体に測定光Ｌ１を照射した場合には現れない発光情報を特定し、その特定された発光情報を用いることにより、電解液Ｓをそのままの状態で分析することができる。その結果、電解液Ｓに前処理を施すことなく、迅速かつ非破壊で分析することができる。
【００４２】
＜その他の変形実施形態＞
なお、本発明は前記実施形態に限られるものではない。
【００４３】
例えば、特定部及び分析部の機能を以下としても良い。
（１）特定部が二次光の光強度信号から３次元的なデータである励起−発光マトリックス（ＥＥＭ）を生成することなく、特定励起波長における２次元データ（例えば横軸を発光波長とし、縦軸を光強度としたグラフデータ）を生成して、当該２次元データから発光ピーク等の発光情報を特定するものであっても良い。この場合、分析部は、特定された発光情報と、比較対象となる判断基準データとを比較して、電解液を分析する。
【００４４】
（２）特定部が二次光の光強度信号から３次元データ（ＥＥＭデータ）を生成し、当該３次元データから多変量解析を用いることなく発光ピークなどの発光情報を特定するものであっても良い。この場合、分析部は、特定された発光情報と、比較対象となる判断基準データとを比較して、電解液を分析する。ここで、３次元データを示す画像データを画像処理することにより発光ピーク等の発光情報を特定することもできる。
【００４５】
（３）特定部が二次光の光強度信号から３次元データ（ＥＥＭデータ）を生成し、当該３次元データから多変量解析を用いて複数の発光成分の発光スペクトルを抽出して、当該発光スペクトルを発光情報として特定するものであっても良い。つまり、ＰＡＲＡＦＡＣスコア以外の情報を発光情報としても良い。この場合、分析部は、特定された発光情報と比較対象となる判断基準データとを比較して、電解液を分析する。
【００４６】
以上のように特定部は、二次光の光強度信号から抽出される情報であって、電解液の成分単体に励起光を照射した場合には現れない発光を示す発光情報を特定するものであれば、前記実施形態に限られない。
【００４７】
前記実施形態では、電解液の成分単体に測定光Ｌ１を照射した場合には発光ピークが現れないことを前提として、ＥＥＭデータから得られた複数の発光成分が電解液Ｓの成分単体に測定光Ｌ１を照射した場合には現れない発光情報であるとしていたが、必ずしもそうとは限らない。つまり、電解液Ｓの成分単体に測定光Ｌ１を照射したときの成分単体の発光情報（発光しないという情報も含む。）を予め発光情報格納部（不図示）に格納しておき、特定部４は、当該発光情報格納部に格納された成分単体の発光情報と、電解液Ｓから生じる二次光Ｌ２と比較して、電解液Ｓの成分単体に測定光Ｌ１を照射した場合には現れない発光情報を特定することが考えられる。そして、分析部４は、成分単体の発光情報との比較により特定された発光情報に基づいて、電解液Ｓを分析する。なお、発光情報格納部に格納される発光情報としては、ＥＥＭデータであってもよいし、ＥＥＭデータから求まるスペクトルデータなどであっても良い。
【００４８】
前記実施形態では、リチウムイオン電池の電解液を分析した例を示したが、電荷のキャリアとなるイオン性物質を有機溶媒に添加して作製した電解液を使用する電池の電解液であれば、リチウム・硫黄電池の電解液、リチウム・空気電池の電解液、リチウム・銅電池の電解液などを分析するものであっても良い。
【００４９】
その他、本発明の趣旨に反しない限りにおいて様々な実施形態の変形や組み合わせを行っても構わない。
【産業上の利用可能性】
【００５０】
本発明によれば、電解液に前処理を施すことなく迅速かつ非破壊で分析することができる。
【図１】
2020105687.tif 000003
【図２】
2020105687.tif 000004
【図３】
2020105687.tif 000005
【図４】
2020105687.tif 000006
【図５】
2020105687.tif 000007
【図６】
2020105687.tif 000008
【図７】
2020105687.tif 000009
【図８】
2020105687.tif 000010
【図９】
2020105687.tif 000011
【国際調査報告】
2020105687.tif 000012
2020105687.tif 000013
2020105687.tif 000014
2020105687.tif 000015